(57)【要約】【課題】  ドアの下端からフロア面までの隙間がロックバーの出寸法より広い場合でも、確実にドアを固定でき、衝撃で外れにくいフランス落とし装置を提供する。【解決手段】  ベース体１０に対して所定のストロークＳで上下動可能に支持されたロックバー１５を備えており、ロックバーの下端部をフロア面２０に形成した凹部２１に係合させて子ドア２を固定するフランス落とし装置１は、ロックバー１５の上下方向の全長がＬ〜Ｌ＋Ｂの範囲で可変である。ロックバー１５は上下動可能のスライダー１３と、スライダーの下端に連結された突出体１４とから構成され、突出体はスライダーに固定された固定軸部１４ａと、固定軸部に雄ねじ部１４ｃで連結されている調整軸部１４ｂとを備え、ねじ機構により調整軸部を上下させてロックバー１５の全長を可変とする。【選択図】  図１
2005188131.tif 000002
【特許請求の範囲】
【請求項１】
ベース体に対して所定のストロークで上下動可能に支持されたロックバーを備えており、該ロックバーの下端部をフロア面等に形成した凹部に係合させてドア等を固定するフランス落とし装置であって、
前記ロックバーは、その上下方向の全長が可変であることを特徴とするフランス落とし装置。
【請求項２】
前記ロックバーは所定のストロークで上下動可能のスライダーと、該スライダーの下端に連結された突出体とから構成され、前記突出体は前記スライダーに固定された固定部と、該固定部にねじ機構で連結されている調整部とを備え、該調整部を前記ねじ機構により上下に移動させることにより前記ロックバーの全長を可変とすることを特徴とする請求項１に記載のフランス落とし装置。
【請求項３】
前記突出体は外形が角柱であることを特徴とする請求項２に記載のフランス落とし装置。
【請求項４】
前記ロックバーは所定のストロークで上下動可能のスライダーと、該スライダーの下端に連結固定された突出体とから構成され、前記突出体の前記スライダーへの固定位置を変更することにより、前記ロックバーの全長を可変とすることを特徴とする請求項１に記載のフランス落とし装置。
【発明の詳細な説明】
【技術分野】
【０００１】
本発明は、例えば親子ドア等の子ドアを固定するフランス落とし装置に係り、特に、フロア面に形成した凹部に進入する落とし棒やロックバーの突出長さを調整して確実にドア等を固定できるフランス落とし装置に関する。
【背景技術】
【０００２】
従来、この種のフランス落としは、扉体における縦框の下部に埋め込まれるケースに棒状の係止部材が昇降可能に配置され、係止部材の少なくとも先端部が断面において非円形に形成されているとともに周面に軸線方向へ延びる螺旋条が形成されており、且つ、ケースに螺旋条に嵌合して係止部材を上下に移動させたときに、係止部材を軸心を中心として回転させるためのガイドが設けられている（例えば、特許文献１参照）。
【０００３】
【特許文献１】特開平７−３３１９４３号公報
【発明の開示】
【発明が解決しようとする課題】
【０００４】
ところで、前記構造のフランス落としは、落とし棒等の係止部材の出寸法が上下方向のストロークにより決まっているため、現場でドアを取付けたときに、ドアの下端からフロア面までの隙間がその出寸法より広い場合は係止部材がフロア面に届かず、ドアを固定できないといった問題点があった。この場合、ストロークの大きいタイプのフランス落としに交換するか、フランス落としの取付け位置を変更するといった施工が必要となり、施工が煩雑となっていた。また、係止部材とフロア面の凹部との係止距離が少ないと、すなわち、凹部に対する落とし込み量（進入量）が小さいと、ドア等に衝撃が加わった場合に係止部材が凹部から外れ、係止部材がフロア面に傷をつけるという問題があった。
【０００５】
本発明は、このような問題に鑑みてなされたものであって、その目的とするところは、ドアの下端からフロア面までの隙間が係止部材やロックバーの出寸法より広い場合でも、確実にドアを固定できるフランス落とし装置を提供することにある。また、フロア面に形成した凹部にロックバーを係合させるとき、確実に係合させてドアの固定状態を安定させることができ、ロックバーが外れてフロア面に傷を付けることの少ないフランス落とし装置を提供することにある。
【課題を解決するための手段】
【０００６】
前記目的を達成すべく、本発明に係るフランス落とし装置は、ベース体に対して所定のストロークで上下動可能に支持されたロックバーを備えており、該ロックバーの下端部をフロア面等に形成した凹部に係合させてドア等を固定する装置であって、このロックバーは、その上下方向の全長が可変であることを特徴とする。ベース体をドア等に固定し、ロックバーを下降させて下端部をフロア面の凹部に進入させ、ドア等の揺動を防止するフランス落とし装置は、ロックバーの下端部に調整部を設け、この調整部を上下させてロックバーの全長を可変とすると好ましい。
【０００７】
前記のごとく構成された本発明のフランス落とし装置は、ロックバーが手動操作により所定のストロークで上下動可能であり、ドアの下端とフロア面との隙間が大きく、ロックバーの下端がフロア面に形成した凹部へ到達しない場合や、凹部への進入量が少ないときには、ロックバーの全長を延ばして下端部をフロア面の凹部に確実に係合させることができ、ドアを確実に固定することができる。
【０００８】
また、本発明に係るフランス落とし装置の好ましい具体的な態様としては、前記ロックバーは所定のストロークで上下動可能のスライダーと、このスライダーの下端に連結された突出体とから構成され、この突出体はスライダーに固定された固定部と、該固定部にねじ機構で連結されている調整部とを備え、該調整部をねじ機構により上下に移動させることによりロックバーの全長を可変とすることを特徴としている。前記突出体は外形が角柱であると好ましく、角柱としては六角柱が好適である。
【０００９】
この構成によれば、ロックバーの上下動のストロークはスライダーによって決まるが、スライダー下端に連結された突出体の調整部をねじ機構により下降させることにより、フロア面の凹部との距離が大きいときには突出体を延ばすことによりロックバーの全長を増やして、ドア等を確実にフロア面に固定することができる。ねじ機構に止めナットを噛み合わせて、ダブルナットとすると、固定状態が安定して好ましい。
【００１０】
突出体は外形が角柱であると、突出体の外形角柱部分に例えばスパナを噛合わせて回転させることで、ねじ機構により突出体を上下移動させて容易にロックバーの全長を変更することができ、ドア等を確実にフロア面に固定することができる。しかも、ロックバーを下方位置に下降させておき、フロア面とドアとの隙間に側方からスパナを入れて調整できるため、凹部への突出体の最適な進入量に調整することができる。
【００１１】
さらに、前記ロックバーは所定のストロークで上下動可能のスライダーと、該スライダーの下端に連結固定された突出体とから構成され、突出体のスライダーへの固定位置を変更することにより、ロックバーの全長を可変とすると好適である。止めねじ等により突出体の固定位置を変更する場合は、ロックバーの全長の可変が容易であり、固定状態が安定する。
【発明の効果】
【００１２】
本発明によれば、ドア等とフロア面との隙間が変化しても、フランス落とし装置によるドア等の固定を確実に行うことができる。また、フランス落とし装置のロックバーの下端のフロア面の凹部への進入量を大きくでき、係合が確実で固定状態が安定するため、ドア等に衝撃が加わってもロックバーの下端部がフロア面の凹部から脱出せず、フロア面が傷付くのを防止できる。
【発明を実施するための最良の形態】
【００１３】
以下、本発明に係るフランス落とし装置の一実施形態を図面に基づき詳細に説明する。図１は、本実施形態に係るフランス落とし装置を示し、（ａ）は正面図、（ｂ）はその一部破断側面図、（ｃ）はその背面図、（ｄ）は（ｂ）の底面図、図２は、図１ａの突出体部分の要部断面図、図３は、動作状態を示す断面図である。
【００１４】
図１〜３において、フランス落とし装置１は、例えば親子ドアの子ドアを通常は固定しておき、必要なときに開くための固定装置であり、子ドア２のヒンジ取付け部と反対の揺動側の上下コーナー部に固定される。フランス落とし装置１は断面が略Ｌ字状の金属板材で形成したベース体１０に対して、所定のストロークＳで上下動可能に支持されたロックバー１５を備えている。ベース体１０の垂直部１０ａは長く、水平部１０ｂは短く形成され、フランス落とし装置１は、この直角のコーナー部をドアの揺動側の上側や下側のコーナーに合わせて取付けられる。ベース体１０の垂直部１０ａ上部と、水平部１０ｂの端部に子ドア２に取付けるビス３用に取付け孔１０ｃが形成されている。
【００１５】
ベース体１０の垂直部１０ａには正面側に縦長の長円状の段差部１１が形成され、段差部１１の中央には縦長の長方形の長孔１２が形成されている。段差部１１の裏面には縦長の帯板状のスライダー１３が位置している。スライダー１３は上部が平坦で、中間部とその下方に２つの凹部１３ａ，１３ｂが形成され、下端にはフロア面２０の凹部２１に進入する突出体１４が連結されている。スライダー１３と突出体１４とにより子ドア２を固定するロックバー１５を構成する。スライダー１３と突出体１４との連結は、突出体１４の上部縮径部にスライダー１３を構成する板材の下端部を巻き付け、巻き付け部分をカシメ等で連結している。なお、前記の連結はカシメに限らず、溶接による固定や、ねじによる固定でもよい。
【００１６】
スライダー１３の平坦部と段差部裏面との間には位置決め用のバネ１６が挟まれ、正面側から段差部１１内に位置する操作片１７が長孔１２を貫通してスライダー１３の平坦部に固定されている。板状のバネ１６は長孔１２と略同一形状の貫通孔が形成され、正面側に立設された爪部が長孔の上下の縁に係合しており、バネ１６を位置決めしている。バネ１６はスライダー１３の凹部１３ａ，１３ｂのいずれかに係合する突部１６ａを下端部に形成してあり、スライダーを上方位置、あるいは下方位置に保持する機能を有する。なお、バネ１６はベース体１０の裏面に溶接等で固定してもよい。
【００１７】
操作片１７は段差部１１内を上下動可能に支持され、操作片１７を長孔１２で規定された範囲内で上下に移動させることで、スライダー１３のストロークＳが決められる。このストロークＳがロックバー１５の出寸法（突出量）Ａであり、出寸法は通常一定である。操作片１７の水平方向の幅は長孔１２の水平方向幅より大きく設定され、操作片１７の両端部が長孔１２の側壁に係合することで、スライダー１３がベース板１０から離脱するのを防止している。
【００１８】
スライダー１３の下端に連結される突出体１４は、固定軸部１４ａと、この固定軸部にねじ機構を介して連結される調整軸部１４ｂとから形成される。すなわち、固定軸部１４ａは上部がねじ止めあるいはカシメ等でスライダー１３に固定され、下部は六角柱状で軸心に沿って雌ねじ孔が形成されている。調整軸部１４ｂは上部が固定軸部１４ａの雌ねじ孔に螺合する雄ねじ部１４ｃであり、下部が六角軸部となっている。固定軸部１４ａと調整軸部１４ｂとを備える突出体１４はベース体１０の水平部１０ｂにある規制孔１０ｄに上下動可能に緩く嵌合している。なお、固定軸部も六角柱状であるが、固定軸部は円柱状でもよい。
【００１９】
この構成により、突出体の固定軸部１４ａの雌ねじ孔と雄ねじ部１４ｃからなるねじ機構を緩めて調整軸部１４ｂを下降させることにより、前記の突出量Ａに加えて調整量Ｂだけ突出量を増やすことができ、ロックバー１５の全長Ｌを調整量Ｂだけ増やすことができる。図１ａの突出体１４の実線位置は下降位置で、上方の二点鎖線位置１４Ａは上昇位置、下方の二点鎖線位置１４Ｂは延長位置である。上方の二点鎖線位置１４Ａではバネ１６の突部１６ａは凹部１３ｂに位置し、下方の二点鎖線位置１４Ｂではバネ１６の突部１６ａは凹部１３ａに位置する。
【００２０】
本実施形態のフランス落とし装置１は、例えば子ドア２の揺動側の下端部に陥没部４を形成し、この陥没部にスライダー１３や突出体１４を挿入した状態で固定用のビス３を取付け孔１０ｃ，１０ｃに挿入して固定する。フランス落とし装置１は、ベース体１０に対してストロークＳで上下動可能に支持されたロックバー１５を備え、フロア面２０に形成された凹部２１にロックバー１５の下端の突出体１４を進入、係合させてロック状態とし、子ドア２を固定する。凹部２１は、金属板材をプレス加工した逆キャップ状の受け部材２２を固定すると好ましい。受け部材２２としては金属板材のプレス品に限らず、プラスチックの成型体や、金属鋳物で形成してもよい。
【００２１】
前記の如く構成された本実施形態のフランス落とし装置１の動作について、図３を参照して説明する。フランス落とし装置１で子ドア２を固定するときは、段差部１１内の操作片１７を下方に押圧して長孔１２の下端まで下降させる。操作片１７とともにスライダー１３が下降し、スライダー下端に連結された突出体１４がフロア面２０の凹部２１に進入して子ドアＤが固定される。すなわち、操作片１７の下降操作でロックバー１５が下降して、下端の突出体１４が凹部２１内に進入する（図３ａ）。
【００２２】
フランス落とし装置１のスライダー１３のストロークＳは決まっており、フロア面２０と子ドア２下端面との隙間ｈが図３ａのように小さい場合は、突出体１４は凹部２１内に深く進入して係合状態が安定し、子ドア２に衝撃が加わっても突出体１４が凹部２１から外れることはない。しかし、図３ｂのように、子ドア２とフロア面２０との隙間Ｈが大きい場合には、凹部２１に進入する突出体１４の係合深さが小さくなる。
【００２３】
特に、２００３年７月の建築基準法の改正により、室内換気が必要となって子ドア２の下面とフロア面２０との隙間が大きい場合には、係合深さが小さくなり確実な固定ができにくくなり、例えば荷物等を持ってドア部と通過するときに子ドア２に接触したとき等に、フロア面２０の凹部２１から突出体１４が脱出して子ドア２の固定が外れ、フロア面２０に突出体１４が傷付ける虞が生じる。
【００２４】
本実施形態のフランス落とし装置１に備わるロックバー１５は、下端の突出体１４の側面からスパナ（図示せず）を調整軸部１４ｂの六角軸部に係合させ、スパナを例えば上方から見たとき時計方向の回すと調整軸部１４ｂは下降し、図３ｂに示されるようにロックバー１５の全長が（Ｌ＋Ｂ）に延びて、フロア面２０の凹部２１との係合深さを増やして固定状態を安定させることができる。この結果、ドア等に衝撃が加わっても、突出体１４がフロア面２０の凹部２１から外れてフロア材を傷付けることが防止される。なお、突出量の変更範囲は雄ねじ部１４ｃが連結される範囲に設定されており、この範囲内の変更に限られる。また、スパナと調整軸部１４ｂとが対向しないときには、操作片１７でスライダーを上下させて係合させる。
【００２５】
本発明の他の実施形態を図４に基づき詳細に説明する。図４は本発明に係るフランス落とし装置の他の実施形態を示し、（ａ）は要部断面図、（ｂ）は他の例の要部側面図、（ｃ）は（ｂ）の突出体を下げた状態の要部背面図である。図４ａの実施形態は前記した実施形態に対し、ロックバーの下端に連結された突出体は止めナットを備えており、調整軸部の位置決めを確実にしていることを特徴とする。図４ｂ、ｃの実施形態はねじ機構の変更例を示している。そして、他の実質的に同等の構成については同じ符号を付して詳細な説明は省略する。
【００２６】
図４ａにおいて、ロックレバー１５はスライダー１３と、その下端に連結された突出体２５とを備えており、突出体は上方の固定軸部２５ａと下方の調整軸部２５ｂとを有し、雄ねじ部２５ｃにより連結され、雄ねじ部２５ｃに止めナット２５ｄが螺合されている。すなわち、下方の調整軸部２５ｂから上方に突出する雄ねじ軸２５ｃに止めナット２５ｄがねじ合わされている。このように構成された突出体２５はフロア面とドア下端面とが広く開いている場合に、調整軸部２５ｂをスパナ等で回して下降させ、止めナット２５ｄを反対方向に回して上昇させて固定軸部２５ａに当接させる。このようにして止めナット２５ｄによりダブルナット作用で調整軸部２５ｂの回転を防止するため、調整軸部の固定状態を安定させて緩みや脱落を防止することができる。
【００２７】
本発明のさらに他の実施形態として、図４ｂ、４ｃに示すロックバー３０はスライダー３１の下端に止めねじ３２で突出体３３を固定した例を示している。この突出体３３は円柱軸部の一部を平坦部３３ａとし、この平坦部にスライダー３１の下端部を対接させ、スライダーの長孔３１ａに止めねじ３２を挿入して連結している。この例の突出体３３では、止めねじ３２を緩めることで上方の固定部材であるスライダー３１に対して下方の調整部材である突出体３３を上下動させることによりロックバーの全長を可変とするもので、フロア面とドアとの隙間の寸法に合わせて突出体３３を適当な位置に合わせ、止めねじ３２を締めこんで両者を固定する。
【００２８】
図４ｂは突出体３３を上昇させた位置を示し、図４ｃは突出体３３を下降させた位置を示している。この実施形態では、フランス落とし装置が固定されたあとは突出体の固定位置を変更してロックバーの全長を変更することができないため、ドアの固定部分にフランス落とし装置をあわせて、フロア面との隙間を確認し、予め突出量に合う全長として調整したあとでドアに固定する。この実施形態のロックバー３０は、長孔３１ａの範囲で突出量の調整が可能となる。止めねじ３２を固定する際に、必要に応じてワッシャーや止め座等を挿入する。この例では、止めねじ３２を締め込むことにより、ロックバー３０の全長を変更したあとの固定状態が安定する。
【００２９】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、ロックバー下端部に連結された突出体の外形として六角柱の例を示したが、四角柱等、他の多角柱でもよい。また、フランス落とし装置を親子ドアの子ドアに取付けた例を示したが、同じ形状の両開きドアの一方に取付けてもよい。
【００３０】
ロックバーはスライダーと、その下端に連結した突出体とから構成される例を示したが、１本の丸棒状のロックバーで構成してもよい。また、前記の実施形態では、突出体１４の調整軸部１４ｂは、ねじ機構を緩めて下降させたときに外れる構成であるが、Ｅリング等のストッパー等をねじの上部に嵌合させて外れないように構成してもよい。さらに調整範囲を規定して、脱落しないようにしても良い。フロア面の凹部は単なる穴でも良いことは勿論である。
【産業上の利用可能性】
【００３１】
本発明の活用例として、このフランス落とし装置を用いて門扉の片側に取付けることができ、外構の用途にも適用できる。なお、門扉の場合、フロア面でなく、モルタル面に凹部を形成することが必要となる。
【図面の簡単な説明】
【００３２】
【図１】本発明に係るフランス落とし装置の一実施形態を示し、（ａ）は正面図、（ｂ）は一部を破断した側面図、（ｃ）は背面図、（ｄ）は（ｂ）の底面図。
【図２】図１の突出体部分の要部断面図。
【図３】図１のフランス落とし装置の動作説明図であり、（ａ）は隙間が通常の場合、（ｂ）は隙間が大きい場合の断面図。
【図４】本発明に係るフランス落とし装置の他の実施形態を示し、（ａ）は要部断面図、（ｂ）は他の例の一部破断側面図、（ｃ）は（ｂ）の突出体を下げた状態の背面図。
【符号の説明】
【００３３】
１：フランス落とし装置、１０：ベース体、１２：長孔、１３，３１：スライダー、１４，３３：突出体、１４ａ，２５ａ：固定軸部（固定部）、１４ｂ，２５ｂ：調整軸部（調整部）、１４ｃ，２５ｃ：雄ねじ部（ねじ機構）、１５，３０：ロックバー、１７：操作片、２０：フロア面、２１：凹部、３１ａ：長孔、３２：止めねじ（ねじ機構）、Ｓ：ストローク、Ａ：突出量、Ｂ：調整量、Ｌ：ロックバーの全長
【図１】
2005188131.tif 000003
【図２】
2005188131.tif 000004
【図３】
2005188131.tif 000005
【図４】
2005188131.tif 000006